(57)【要約】ユーザにとって関心のあるデータを、１つ以上のデータ元から取得する第１プロセッサを含んでいるデータマイニング／提示システムである。この第１プロセッサが、前記データに関連する１つ以上のユーザ指定のパラメータを受信するように設計されるとともに、電気通信ネットワークを介して前記データ元と通信できる。第２プロセッサが、第１プロセッサと通信でき、データを受信して、ユーザによって指定されたパラメータに従ってユーザへ提示するためにデータを操作する。操作後のデータが、電気通信ネットワークを介して１つ以上のユーザプラットフォームへ提示される。
2009526281.tif 000002
【特許請求の範囲】
【請求項１】
ユーザにとって関心のあるデータを、少なくとも１つのデータ元から取得する第１サーバと、
前記データに関連する１つ以上のユーザ指定のパラメータを受信するプロセッサと、
前記第１サーバと連絡し、ユーザによって指定されたパラメータに従ってユーザへ提示するために、前記第１サーバからのデータを受信し操作する第２サーバと、を有する、データ提示システム。
【請求項２】
前記データ元は、ウェブサイト、データベース、およびこれらの組み合わせのうち１つを含む、請求項１に記載のシステム。
【請求項３】
前記第１サーバは、新規データについてデータファイルおよびデータ元の状態を継続的に監視する更新プログラムを含む、請求項１に記載のシステム。
【請求項４】
前記更新プログラムは、所定の時間間隔でデータ元から更新データを取り出すように、ウェブ・クローラ・プログラムに合図することができる、請求項３に記載のシステム。
【請求項５】
前記データは、宝くじデータ、スポーツデータ、娯楽データ、金融データ、またはこれらの組み合わせのうち１つを含む、請求項１に記載のシステム。
【請求項６】
前記プロセッサは、前記第２サーバ上で動作している、請求項１に記載のシステム。
【請求項７】
前記パラメータは、データの種類、データのフォーマット、関心点、イベント通知、データの配送方法、配送の頻度、およびこれらの組み合わせのうち１つを含む、請求項１に記載のシステム。
【請求項８】
前記第２サーバは、ウェブサーバである、請求項１に記載のシステム。
【請求項９】
前記第２サーバは、操作したデータを、ウェブサイト、電子メール、ショートメッセージサービス、マルチメディアメッセージングサービス、オンラインのメンバーズエリア、またはこれらの組み合わせのうち１つを介して提示する、請求項１に記載のシステム。
【請求項１０】
前記第１サーバは、電子メール、ファイル転送プロトコル、ショートメッセージサービス、マルチメディアメッセージングサービスを介して、直接にクライアントのプラットフォームへデータの更新を送信する、請求項１に記載のシステム。
【請求項１１】
前記第１サーバは、システムの不良を特定して通知をもたらす警報システムを含む、請求項１に記載のシステム。
【請求項１２】
警報の状況は、外部の通信デバイスへ送信されるショートメッセージサービス通知を含む、請求項１１に記載のシステム。
【請求項１３】
データの提示の方法であって、
ユーザへ提示されるべきデータについてのパラメータ一式を定めることを、ユーザにとって可能にするステップと、
前記パラメータに従ってデータを操作するステップと、
操作後のデータをユーザへ提示するステップと、を有する、方法。
【請求項１４】
前記可能にするステップは、前記パラメータ一式を定めるユーザインタフェースを、ユーザへ提供することを含む、請求項１３に記載の方法。
【請求項１５】
前記可能にするステップにおいて、前記パラメータ一式は、データの種類、データのフォーマット、関心点、イベント通知、データの配送方法、およびデータの配送頻度を含む、請求項１３に記載の方法。
【請求項１６】
前記操作するステップは、少なくとも１つのデータ元からデータを取得することを含む、請求項１３に記載の方法。
【請求項１７】
前記操作するステップにおいて、前記データは、宝くじデータ、スポーツデータ、娯楽データ、金融データ、またはこれらの組み合わせのうち１つを含む、請求項１３に記載の方法。
【請求項１８】
前記操作するステップは、所定の時間期間にてデータを取得することを含む、請求項１３に記載の方法。
【請求項１９】
前記提示するステップは、前記操作後のデータを所定の時間期間にて表示することを含む、請求項１３に記載の方法。
【請求項２０】
前記提示するステップは、ユーザに関連付けられた１つ以上のクライアントプラットフォームへ、電気通信ネットワークを介してデータを配布することを含む、請求項１３に記載の方法。
【請求項２１】
前記提示するステップは、前記操作後のデータを、ウェブサイト、電子メール、ショートメッセージサービス、マルチメディアメッセージングサービス、オンラインのメンバーズエリア、またはこれらの組み合わせのうち１つを介して提示することを含む、請求項１３に記載の方法。
【請求項２２】
前記提示するステップは、前記操作後のデータへウェブブラウザまたは無線デバイスによってアクセスすることをユーザにとって可能にすることを含む、請求項１３に記載の方法。
【請求項２３】
前記提示するステップは、少なくとも１つの広告を、ユーザによって選択されたデータとともに提示することを含む、請求項１３に記載の方法。
【請求項２４】
ユーザにとって関心のあるデータを、１つ以上のデータ元から取得する第１サーバと、
前記第１サーバと連絡し、ユーザによって指定されたパラメータに従ってユーザへ提示するために、前記第１サーバからデータを受信し操作する第２サーバと、
前記第１および第２サーバから離れてユーザの場所に位置し、前記データの提示に関するパラメータをユーザが遠方の位置から指定できるようにするため、前記第２サーバと通信できるソフトウェアプロセスと、を有する、データ提示システム。
【請求項２５】
前記データ元は、ウェブサイトである請求項２４に記載のシステム。
【請求項２６】
前記データは、宝くじデータ、スポーツデータ、娯楽データ、および金融データを含む、請求項２４に記載のシステム。
【請求項２７】
前記第２サーバは、ウェブサーバである、請求項２４に記載のシステム。
【請求項２８】
前記第２サーバは、前記操作したデータを、ウェブサイト、電子メール、ショートメッセージサービス、マルチメディアメッセージングサービス、オンラインのメンバーズエリア、またはこれらの組み合わせのうち１つを介して提示する、請求項２４に記載のシステム。
【請求項２９】
前記パラメータは、提示すべきデータの種類およびデータのフォーマット、関心点、イベント通知、リマインダ、データの配送時期、データの配送方法、データの配送頻度、ならびにパラメータの保存を含む、請求項２４に記載のシステム。
【請求項３０】
前記ソフトウェアプロセスは、ユーザが前記データの提示に関するパラメータを指定することができるユーザインタフェースを含む、請求項２４に記載のシステム。
【請求項３１】
前記ソフトウェアプロセスは、無線デバイス上で実行可能である、請求項２４に記載のシステム。
【請求項３２】
前記ソフトウェアプロセスは、電気通信ネットワークを介して無線デバイス上へダウンロード可能である、請求項２４に記載のシステム。
【請求項３３】
前記ソフトウェアプロセスは、無線デバイス上に用意される、請求項２４に記載のシステム。
【請求項３４】
オンラインゲームを提供する方法であって、
遊戯するゲームおよび数字を選択することを、ユーザにとって可能にするステップと、
前記選択した数字およびゲーム結果データの提示に関するパラメータ一式を定めることを、ユーザに認めるステップと、
ゲーム結果データについて少なくとも１つのデータ元を検索することによって、ゲーム結果を取得するステップと、
前記パラメータ一式に従って前記ゲーム結果データを操作するステップと、
前記操作したゲーム結果データをユーザへ提示するステップと、を含む、方法。
【請求項３５】
前記可能にするステップは、宝くじを選択することを含む、請求項３４に記載の方法。
【請求項３６】
前記可能にするステップは、宝くじゲームとのやり取りをユーザにとって可能にするインタフェースを提供することを含む、請求項３４に記載の方法。
【請求項３７】
前記可能にするステップは、コンピュータまたは無線デバイス上に前記インタフェースを提供するステップを含む、請求項３６に記載の方法。
【請求項３８】
前記可能にするステップは、前記インタフェースをウェブサイトとしてユーザに提供することを含む、請求項３６に記載の方法。
【請求項３９】
前記認めるステップにおいて、前記パラメータ一式は、データの種類、データのフォーマット、関心点、イベント通知、データの配送方法、およびデータの配送頻度を含む、請求項３４に記載の方法。
【請求項４０】
前記認めるステップにおいて、前記データは、宝くじデータ、スポーツデータ、娯楽データ、および金融データを含む、請求項３４に記載の方法。
【請求項４１】
前記取得するステップは、ゲーム結果の発生を待つステップをさらに含む、請求項３４に記載の方法。
【請求項４２】
前記取得するステップにおいて、前記データ元は、ウェブサイトである、請求項３４に記載の方法。
【請求項４３】
前記提示するステップは、前記操作したデータを、ウェブサイト、電子メール、ショートメッセージサービス、マルチメディアメッセージングサービス、オンラインのメンバーズエリア、またはこれらの組み合わせのうち１つを介して提示することを含む、請求項３４に記載の方法。
【請求項４４】
前記提示するステップは、少なくとも１つの広告をユーザによって選択されたデータとともに提示することを含む、請求項３４に記載の方法。
【発明の詳細な説明】
【技術分野】
【０００１】
本出願は、２００６年１月２４日付の特許仮出願第６０／７６１，２０９号および２００６年４月２０日付の特許仮出願第６０／７９３，６０３号の優先権および利益を主張し、この両者の全体が、ここでの言及によって本明細書に取り入れられたものとする。
【０００２】
本発明は、広くには、宝くじ結果、スポーツ、金融、および娯楽などといった領域におけるデータマイニング（ｄａｔａ  ｍｉｎｉｎｇ）の分野に関し、そのようなデータをインターネットおよび／または無線デバイスを介して配布するシステムを創出することに関する。
【背景技術】
【０００３】
宝くじは世界的なビジネスであり、全世界の何百万もの人々が、毎日の宝くじに参加している。米国においては、全成人の７４％超が宝くじを楽しんでいる。新規な技術により、人々は、どこに居住しているかにかかわらず、世界中からの宝くじに参加する機会を提供されている。したがって、人々は、自身が選択して楽しんでいる特定の宝くじの結果を、毎日のように求めている。
【０００４】
さらに、ウェブサイト、ポータル、携帯電話企業、ショートメッセージサービス（ＳＭＳ）メッセージング企業、およびその他の集団など、成長を続けるメディア資産の部門が、宝くじデータを取得して、彼らの顧客または来訪者へ提示する方法を探している。さらに、世界的にますます多くの企業が、彼らの製品およびサービスを、宝くじに興味を持つ消費者のうち対象の聴衆へ広告する方法を探している。
【０００５】
宝くじの結果に加え、人々は、スポーツ、金融、娯楽、および他の分野に関する結果およびデータも毎日のように求めている。
【発明の開示】
【発明が解決しようとする課題】
【０００６】
したがって、データまたは情報を収集して、そのような情報に関心を有する人々に対してインタラクティブな方法で提示することができるシステムを提供することが、望ましいと考えられる。
【課題を解決するための手段】
【０００７】
本発明は、一実施形態において、宝くじ結果、スポーツ、金融、娯楽、および他の領域に関するデータまたは情報をマイニングし、そのようなデータをインターネットおよび無線デバイスを介して世界的に配布するシステムを提供する。
【０００８】
本発明は、一実施形態において、ユーザにとって関心のあるデータを取得する第１サーバと、第１プロセッサと通信できる第２サーバとを含むデータ提示システムを提供する。データに関連する１つ以上のユーザ指定のパラメータを受信するプロセッサを備えることができる。第２サーバは、ユーザによって指定されたパラメータに従ってユーザへ提示するために、データを受信し操作することができる。パラメータとしては、データの種類、データのフォーマット、関心点、イベント通知、データの配送方法、および配送の頻度を挙げることができる。
【０００９】
さらに、本発明は、データの提示の方法であって、提示されるべきデータについてのパラメータ一式を定めることを、ユーザにとって可能にするステップを含む方法を提供する。この方法は、さらに、前記パラメータに沿ったユーザへの提示のためにデータを操作するステップを提供する。
【００１０】
さらに、本発明は、一実施形態において、ユーザにとって関心のあるデータを取得する第１サーバと、第１サーバと通信可能な第２サーバとを含むデータ提示システムを提供する。第２サーバは、ユーザによって指定されたパラメータに従ってユーザへ提示するために、データを受信し操作することができる。
【００１１】
さらに、このデータ提示システムは、第２サーバと通信できるソフトウェアプロセス（例えば、プログラム）を含む。このソフトウェアプロセスは、無線デバイス上に実装することが可能であり、データの提示についてのパラメータをユーザが指定できるようにすることができる。パラメータとしては、データの種類、データのフォーマット、関心点、イベント通知、データの配送方法、および配送の頻度を挙げることができる。
【００１２】
さらに、本発明は、一実施形態において、オンライン宝くじゲームを提供する方法であって、遊戯するゲームおよびくじ数字を選択することを、ユーザにとって可能にするステップを含む方法を提供する。さらに、前記選択した数字およびゲーム結果データの提示に関するパラメータ一式を定めることを、ユーザにとって可能にすることができる。次いで、ゲーム結果は、少なくとも１つのデータ元をゲーム結果データについて検索することによって取得することができる。
【００１３】
次いで、ゲーム結果データを前記パラメータ一式に従って操作し、ユーザへ提示することができる。ユーザに、１つ以上の宝くじゲームとのやり取りをユーザにとって可能にするインタフェースを提供することができる。ユーザは、インタフェースを利用してパラメータ一式を定めることができ、このパラメータ一式に関して宝くじデータを提示することができる。
【００１４】
さらに、本発明は、マイニングしたデータの配布および提示に絡めて広告プラットフォームを生成することができるシステムを提供する。インタフェースは、提示のためにユーザによって選択されたデータとともに、広告を提示することができる。広告は、ビデオ、音声、スライドショー、ポップアップボックス、およびメディア・プレイヤー・アプリケーションなど、多数のフォーマットにて提示可能である。
【００１５】
さらに、本発明は、宝くじ結果、スポーツ、金融、娯楽、および他の分野に関するデータなど、マイニングしたデータをインタラクティブな方法で受信者へ収集し提示する方法を提供する。
【発明の効果】
【００１６】
本発明のデータマイニングおよびデータのインタラクティブな提示のためのシステムおよび方法によれば、多数の国および州ならびに世界中のあらゆる場所で行われている宝くじからの宝くじ結果など、現在および以前のデータを収集し、そのような結果のその後の表示のためにカスタマイズすることができる。さらに、オンラインでのデータ報告サービスを、各国ごとのセグメントによって提供することができる。特には、各国ごとのドメイン名のネットワーク、検索エンジンのトラフィック、ブランド付け、および広告収入を駆動するために使用される国ごとの宝くじドメイン名を使用することによって、オンラインでのデータ報告サービスを、特定の領域または部門に特有に生成することができる。
【発明を実施するための最良の形態】
【００１７】
現時点で従来技術に存在する限界に照らし、本発明は、データマイニングを行い、そのようなデータを受領者による後の使用のためにインタラクティブな仕組みで迅速かつ正確に提示する新規なシステムおよび方法を提供する。
【００１８】
データマイニングは、データベース中の知識発見（ＫＤＤ：Ｋｎｏｗｌｅｄｇｅ‐Ｄｉｓｃｏｖｅｒｙ  ｉｎ  Ｄａｔａｂａｓｅｓ）としても知られるが、大量のデータをパターンについて自動的に検索するプロセスである。人工知能などといったデータマイニングは、通常は、データの分析に関連して使用されるが、包括的な用語であって、幅広い範囲の文脈においてさまざまな意味で使用することができる。ビジネス、または傾向を特定するための他の組織に関するニーズに関連付けることも、しばしば可能である。
【００１９】
ここで図１に目を向けると、本発明は、データマイニングを行い、次いでそのようなデータをインタラクティブな仕組みで受領者へ提示するシステム１０を提供する。システム１０は、一実施形態においては、データを更新する第１データプロセッサ（サーバ１１など）を、種々のデータ元１３（例えば、ウェブサイト、データベース）からデータを収集するために、インターネット、ＬＡＮ、ＭＡＮ、ＷＡＮ、無線ネットワーク、電話システム、ケーブルシステム、または同様のデータ伝達システムなどといった電気通信ネットワーク１２と通信可能に備えている。サーバ１１とネットワーク１２との間の通信は、有線または無線によって達成できる。
【００２０】
さらに、システム１０は、例えば宝くじサーバ、スポーツサーバ、などとして機能することができるウェブサーバ１４など、１つ以上の二次データプロセッサをサーバ１１と通信可能に備えることができる。プロセッサ１７が、ウェブサーバ１４の外部に位置でき、あるいはウェブサーバ１４の内部部品であってよい。プロセッサ１７は、データに関する１つ以上のパラメータを受信し、そのパラメータを後のウェブサーバ１４による操作のためにデータベースに保存することができる。ウェブサーバ１４は、或る実施形態においては、特定の領域または部門（例えば、宝くじ、スポーツ、金融、娯楽）からの情報のための専用のサーバであってよく、あるいは多数の領域または部門からのデータまたは情報に対応するように設計することができる。ウェブサーバ１４は、クライアント（例えば、ウェブブラウザ）からのＨＴＴＰ要求の受理およびクライアントへのウェブページ（画像などのリンク付きオブジェクトを有するＨＴＭＬドキュメントであってよい）の提供を担当するコンピュータまたはコンピュータプログラムであってよい。
【００２１】
ウェブサーバ１４の構成はさまざまであってよいが、いくつかの基本的な共通の特徴を共有することができる。例えば、それぞれのウェブサーバは、ネットワーク１２からＨＴＴＰ要求を受理することによって動作することができ、要求者へＨＴＴＰ応答を提供することができる。ＨＴＴＰ応答は、典型的にはＨＴＭＬドキュメントを含むが、生のテキストファイル、画像、または他の何らかの種類のドキュメントであってもよい。クライアントからの要求または要求に応えようとする試みにおいて、エラー状態または不具合に直面したとき、ウェブサーバ１４はエラー応答を送信することができるが、そのようなエラー応答は、問題をよりよく説明する何らかの専用のＨＴＭＬメッセージまたはテキストメッセージを含むことができる。
【００２２】
ウェブサーバ１４は、一実施形態においては、クライアントの要求およびサーバの応答についての詳細情報をログとして記録するように構成することができる。次いで、これらのログファイルは、統計および数的指標を収集して、性能ベンチマークを確立するために分析することができる。また、ウェブサーバ１４は、例えば単一のＩＰアドレスを使用して多数のウェブサイトをサービスする仮想のホストとして実現することができる。
【００２３】
ウェブサーバ１４は、有限状態機械サーバ、マルチスレッドサーバ、プロセスベースサーバ、またはこれら３つのすべての組み合わせとして実現できる。有限状態機械サーバは、スケーラビリティを最大化する傾向にあり、静的なコンテンツについて高速なサービスを提供する。プロセスベースサーバは、（単一のプロセス内における複数のスレッドではなく）複数のプロセスを使用し、より高い信頼性およびセキュリティを提供する。しかしながら、多くのウェブサーバは、動的なコンテンツを効率的にサービスするため、マルチスレッドにすることができる。これは、それぞれのサーバプロセスの内部に、それぞれが他者から独立して自身のタスクを実行することができる２つ以上のスレッドが存在してもよいことを意味する。
【００２４】
例えば、ユーザがウェブサイトを訪問するとき、ウェブサーバ１４は、そのユーザへページをサービスするために、スレッドを使用することができる。依然として先のユーザへのサービスが行われている最中に別のユーザがこのサイトを訪問した場合、ウェブサーバは、別のスレッドを使用することによってこの第２訪問者にサービスを提供することができる。したがって、第２ユーザが第１ユーザのサービスを待つ必要がない。これは、おそらくはすべてのユーザが同じ速度のインターネット接続を有するわけではないため、有用な実例となりうる。遅いユーザが、他のすべての訪問者のウェブページのダウンロードを遅らせるべきではない。
【００２５】
データ元１３から収集されたデータは、データが更新されていることを確認するために、検証を必要とする可能性がある。したがって、一実施形態においては、データ元１３から収集されたデータは、検証のためにサーバ１１によってウェブサーバ１４へ送信することができる。データが有効である場合、ウェブサーバ１４は、データが有効である旨を知らせる通知をサーバ１１へ送信でき、その後にデータ報告を、サーバ１１によって生成することができる。データ報告は、一実施形態においては、例えばＸＭＬ、ＨＴＭＬ、およびテキストなど、多数のフォーマットであってよい。データが有効でない場合、ウェブサーバ１４は、サーバ１１へ不具合通知を送信することができる。
【００２６】
ウェブサーバ１４は、一実施形態においては、さらにクライアントプラットフォーム１５と通信可能であってよい。クライアントプラットフォーム１５は、有線または無線のサーバ、ラップトップ、携帯電話、または他の通信デバイスであってよい。１つ以上のクライアントプラットフォーム１５が、例えば、種々のウェブサーバ１４から引き出された静的および動的なコンテンツを表示するために、ウェブブラウザを利用することができる。静的なコンテンツは、ファイルシステムまたはデータ保存部にある既存のファイルから由来し、動的なコンテンツは、ウェブサーバ１４によって呼び出される何らかの他のプログラム、スクリプト、またはＡＰＩによって動的に生成可能である。静的なコンテンツのサービスは、通常は、動的なコンテンツのサービスよりもはるかに高速（２〜１００倍）であることができる（特には、後者がデータベースから引き出されるデータを含む場合）。情報を種々のクライアントプラットフォーム１５へ分配するために複数のウェブサーバ１４を使用することによって、特定のウェブサーバ１４へのデータの流れおよび特定のウェブサーバ１４からのデータの流れを、いずれかのウェブサーバ１４が過負荷になることを回避できる方法で分配することができる。
【００２７】
ウェブサーバ１４は、特には、過剰のウェブトラフィック（すなわち、数千または数百万ものクライアントが短い時間間隔でウェブサイトに到ること）、分散サービス拒否攻撃、およびウェブサーバの一部の脱落（保守またはアップグレードのための停止、ハードウェアまたはソフトウェアの不具合、データベースの不具合、などに起因する）など、多数の理由によって過負荷となりうる。これらの場合、残りのウェブサーバ１４が、過剰なトラフィックを抱え、過負荷となる。
【００２８】
過負荷のウェブサーバの症状として、明らかに長い要求間の遅延（１秒〜数百秒）が挙げられ、ＨＴＴＰの５００、５０３のエラーおよび場合によっては４０４のエラーが、クライアントへ返される可能性があり、コンテンツをクライアントへ送信できる前に、ＴＣＰ接続が拒絶またはリセットされる可能性がある。過負荷を回避する技法としては、ウェブキャッシュ技法を展開すること、静的および動的なコンテンツをサービスするために異なるＵＲＬを使用すること、コンピュータ１台についてそれぞれが自身の固有のネットワークカードおよびＩＰアドレスへ結び付けられた多数のウェブサーバ（プログラム）を使用すること、または１つの大きなウェブサーバ（負荷分散装置）として機能できるように一体にまとめることができる多数のウェブサーバ（コンピュータ）を使用すること、が挙げられる。
【００２９】
一実施形態においては、サーバ１１またはウェブサーバ１４に収容でき、世界中で行われている宝くじからの宝くじデータを包括的な精度にてほぼ瞬時の仕組みで収集し提示することができる独自のソフトウェアを、システム１０は、さらに含むように設計することができる。そのようなデータは、１時間ごと、１日ごと、１週間ごと、１月ごと、１年ごと、あるいは所望の任意の所定の時間期間にて提示することができる。このような手法は、同様にして、スポーツ、娯楽、金融、ならびにデータおよび情報の収集が可能な他の領域など、宝くじ以外の領域のデータを収集して提示するように構成することもできる。さらに、システム１０は、消費者またはユーザがただ１つのオンラインの目的地またはインタフェースを訪問して、システム１０によって収集されたデータへほぼ瞬時かつ正確な仕組みでアクセスできるように、設計することも可能である。ユーザが、提示すべきデータおよび提示の方法を選択することができる。具体的には、ユーザが、データの種類、データのフォーマット、関心点、イベント通知、データの配送方法、および配送の頻度を含むことができるパラメータ一式を選択することができる。
【００３０】
これらのタスクのいくつかを達成するために、サーバ１１に、特定のウェブサイトおよびデータベースを対象にして必要なデータまたは情報（例えば、宝くじデータ、スポーツデータ、娯楽データ、金融データ、または他の領域からのデータ）を自動的に収集するウェブ・クローラ・プログラムを備えることができる。一実施形態においては、クローラプログラムは、ＨＴＭＬ、ＸＭＬ、テキスト、画像、などを含む任意のフォーマットのデータを処理するように設計することができる。
【００３１】
ウェブクローラ（ウェブスパイダまたはウェブロボットとしても知られる）は、ワールドワイドウェブを秩序だった自動的な方法で閲覧するプログラムである。ウェブクローラは、主として、訪問したすべてのページのコピーを後の検索エンジンによる処理のために生成し、検索エンジンが、高速な検索を提供するために、それらダウンロードしたページにインデックスを付す。また、クローラは、リンクのチェックまたはＨＴＭＬコードの検証など、ウェブサイトの自動保守の作業に使用することも可能である。また、本発明の一実施形態のように、クローラは、ウェブページから特定の種類の情報（宝くじデータ、スポーツデータ、など）を対象にして収集を行うために使用することができる。
【００３２】
ウェブクローラは、ロボットまたはソフトウェアエージェントの一種である。一般に、ウェブクローラは、訪問すべきＵＲＬのリストから開始する。それらのＵＲＬを訪問したときに、当該ページのすべてのハイパーリンクを特定して、訪問すべきＵＲＬのリストに追加し、一式の所定の方針に従ってウェブを再帰的に閲覧する。
【００３３】
次に図２に目を向けると、サーバ１１に、一実施形態においてはサーバ１１上で実質的に継続的に実行され、データファイル２４、２９およびデータ元１３の状態を監視するように構成された主更新プログラム２０を備えることができる。一実施形態において、主更新プログラム２０は、開始時に特定の初期化および適合ファイル２４を読み出すことができる。例えば、主更新プログラム２０は、例としてすべての宝くじゲーム、それらの抽選日、抽選時刻、特賞の有無、などのリストを含んでいるファイルを読み出すことができる。
【００３４】
さらに、更新プログラム２０は、宝くじの抽選後における所定の時間の後に、１つ以上のクローラプログラム２２に対して対象のデータ元１３の巡回を指示するように構成することができる。当該対象のデータ元１３についてデータ２９が更新されていない限りにおいて、クローラ２２に対して、指定の間隔で走査を行うように促すことができる。一実施形態においては、更新プログラム２０が、クローラ２２に対して、スケジュールモジュール２６によって１つ以上のデータ元１３を再訪するように通知および促しを行うことができる。更新プログラム２０は、クローラ２２によるデータ元１３の再訪を、データ２４、２９が時代遅れのままである時間を最小限にするために充分に頻繁であるように計画しなければならない。ウェブ巡回は、ウェブクローラ２２がサーバとして機能し、データ元１３がキューであるマルチキューシングルサーバのポーリングシステムとしてモデル化および検討することができる。更新プログラム２０は、クローラ２２による再訪をさまざまな方法で計画することができる。例えば、クローラ２２は、すべてのデータ元１３をそれらの変化の速度にかかわらず同じ頻度で再訪するように計画でき、あるいはクローラ２２は、より頻繁に変化するデータ元１３をより頻繁に再訪するように計画することができる。
【００３５】
また、更新プログラム２０は、一実施形態においては、１つ以上の適合ファイル２４から対象のデータ元１３（すなわち、ウェブサイト）のＵＲＬアドレスへアクセスするように設計することができる。例えば、更新された宝くじ結果を得るために、更新プログラム２０は、適合ファイル２４から対象のデータ元１３のＵＲＬへアクセスすることができ、そのＵＲＬを１つ以上のクローラ２２へ動的または静的に割り当てることができる。動的な割り当てによれば、更新プログラム２０は、例えば各クローラ２２の負荷を動的にバランスさせることができる。あらかじめ定められる方針に従って１つ以上のクローラ２２へＵＲＬを割り当てることによって、静的な割り当ても実行可能である。必須ではないが、クローラ２２を並列に使用することは、ダウンロードの速度を最大にし、過負荷を避けるうえで役に立つ。
【００３６】
１つ以上のクローラ２２は、正しいデータ元１３を対象とするために、割り当てられたＵＲＬを利用することができる。対象のデータ元１３が該当のＵＲＬによって特定されるとすぐに、更新プログラム２０は、当該対象のデータ元の内容を解析すべくクローラ２２を起動させることができる。次いで、クローラ２２が、データまたは結果を抽出して、データ保存部２９に保存する。次いで、更新プログラム２０が、この新たなデータをデータ保存部２９から取り出して分析でき、そのデータを１つ以上のウェブサーバ１４へ送信することができる。
【００３７】
一実施形態において、それぞれのゲーム結果（例えば、宝くじゲームの結果）またはデータ群は、それぞれのゲームまたはデータ群のそれぞれの特別な場合を取り扱うための特に指定されたクローラ２８に関連付けるように設計できる。さらに、指定されたクローラ２８は、データの正確な位置を特定して結果を抽出するように設計または調整することができる。特には、指定されたクローラ２８が、データが更新されたか否かを更新プログラム２０へ知らせることができ、更新された場合に、更新プログラム２０が１つ以上のウェブサーバ１４へデータを送信することができる。
【００３８】
さらに、更新プログラム２０は、一実施形態においては遠方に位置させることができるウェブサーバ１４のＩＰアドレスを特定するために、適合ファイル２４を読み取るように設計することができる。サーバ１１は、新たな更新を成功裏に生成するとすぐに、その更新をウェブサーバ１４のうちのいくつかへ送信することができる。次いで、それぞれのウェブサーバ１４が、受信したデータを処理し、結果を検証することができる。結果が有効である場合、それぞれのウェブサーバ１４は、自身のデータベースを更新し、次いで結果が成功裏に更新された旨を知らせるべく、応答をサーバ１１へ送信することができる。次いで、サーバ１１が、例えばデータ報告をＨＴＭＬ、ＸＭＬ、およびテキストを含むさまざまなフォーマットにて生成することができる。
【００３９】
さらに、サーバ１１は、ひとたび検証成功の応答をウェブサーバ１４から受信すると、ゲーム更新の完了を反映すべく自身のデータベース２３に印を付けることができる。次いで、サーバ１１は、データ元１３のその特定のゲームにおける更新の走査を、次のサイクルまで停止することができる。一方、結果が有効でない場合、ウェブサーバ１４は、不良の応答をサーバ１１へ送信することができる。その結果、サーバ１１は、ゲームの更新の走査を続けることができる。１つのゲームが、関連の情報を有する１０個超の対象のデータ元１３を有してもよく、それらのデータ元１３のそれぞれがクローラ２２、２８による処理および更新プログラム２０による分析を必要としうることに、留意されたい。
【００４０】
サーバ１１は、別の実施形態において、更新結果を定期的にウェブサーバ１４へ送信するように設計することができる。この目的のため、１つ以上のクライアントプラットフォーム１５が、最新の更新を例えばファイル転送プロトコル（ＦＴＰ）によってウェブサーバ１４から取り出すことができる。また、サーバ１１は、最新の更新を、クライアントの要求するスケジュールに従ってクライアントプラットフォーム１５へ送信（例えば、電子メール、ＦＴＰ、ショートメッセージサービス（ＳＭＳ）、マルチメディアメッセージングサービス（ＭＭＳ））することができる。例えば、一部のクライアントが５分ごと、またはそれ以下での更新データの送信を要求でき、一部のクライアントが１時間につき１回のデータを要求でき、一部のクライアントが、１日につき１回のデータを要求できる。通常は、ＸＭＬまたはテキストフォーマットは、クライアントＦＴＰサーバへ送信することができる。さらに、クライアントプラットフォーム１５へ送られたデータに影響を及ぼすことなく、受信されたデータを処理して、自身の固有のフォーマットへ変換するために、クライアントがそれらのプラットフォーム１５を変更することを、システム１０は許す。
【００４１】
ＦＴＰは、ＴＣＰ／ＩＰプロトコルをサポートするあらゆるネットワーク（インターネットまたはイントラネットなど）を介してファイルを交換するために広く使用されているプロトコルである。ＦＴＰ転送には、サーバおよびクライアントという２つのコンピュータが関係する。ＦＴＰサーバソフトウェアを動作させているＦＴＰサーバは、他のコンピュータからの接続要求についてネットワークに耳を傾ける。ＦＴＰクライアントソフトウェアを動作させているクライアントコンピュータは、サーバへの接続を開始させる。ひとたび接続されると、クライアントは、サーバへのファイルのアップロード、サーバからのファイルのダウンロード、サーバ上のファイルの名称変更または削除など、いくつかのファイル操作作業を実行することができる。実質的にすべてのコンピュータプラットフォームが、ＦＴＰプロトコルをサポートする。これにより、ＴＣＰ／ＩＰベースのネットワークへ接続されたあらゆるコンピュータが、どのオペレーティングシステムが関係しているかにかかわらず、当該ネットワーク上における他のコンピュータのファイルを（コンピュータがＦＴＰアクセスを許しているならば）操作することができる。
【００４２】
サーバ１１は、上述のように、対象のデータ元１３（ウェブサイト）へアクセスして宝くじデータを収集するために、例えばケーブル接続またはダイアルアップ接続などといった通常のインターネット接続を使用して、電気通信ネットワーク１２へ接続することができる。さらに、サーバ１１の更新プログラム２０は、結果を再確認して生じうるエラーを自動的に正すために、対象のデータ元１３について１日に数回の再走査を可能にできる。この目的のため、サーバ１１に、接続の完全性を定期的に検証する接続警報システム２１を備えることができる。接続が有効である場合、検証の時刻を表すタイムスタンプを、将来の比較および保守の目的のためにウェブサーバ１４上に保存できる。
【００４３】
一実施形態においては、システム１０に、サーバ１１とウェブサーバ１４との間の通信が所定の時間期間の間に生じない場合に、「接続不良」警報２１を備えることができる。例えば、通信が１０分ごとに生じるべき場合に最後の接続時刻が例えば１０分を超えるならば、警報２１を生じさせることができ、システム１０の操作者へ接続が１０分間にわたって不良である旨を知らせて不良を正すことができるよう、システム１０とは別個独立であるがシステム１０の操作者による監視が可能な適合した通信デバイス１６（携帯電話機または他のデバイスなど）へ、メッセージを送信することができる。
【００４４】
他の実施形態においては、更新プログラム２０は、「更新不良」警報２１を検出するように設計することができる。例えば、データ元１３が、所定の時間期間内での更新を行わない可能性があり、サーバ１１が、警報２１を動作させて、適合した通信デバイス１６へ警報メッセージを送信することができる。特には、不具合の発生時に、主たる接続の喪失によってデータの収集および配布に影響が及ぶことがないように保証するため、バックアップ接続への切り替えを自動的に行うことができる。データの収集および配布における不具合について、さらなる警報２１を用意することも可能である。例えば、ゲーム結果が特定の所定の時間期間にわたって更新されない場合に、サーバ１１が、操作者による監視が可能な携帯電話または他の適当なデバイスへ、インスタントメッセージを送信することができる。これらの場合、供給不良の結果およびデータについて手動で検索を行い、システムを手動で更新することができる。
【００４５】
「データ元ウェブサイト変更」警報２１を用意することも可能である。例えば、データ元１３が変化した場合に、クローラ２２、２８がこのデータ元１３からデータを抽出できない可能性がある。この場合、サーバ１１が警報２１を生じさせ、適合した通信デバイス１６へテキストメッセージを送信することができる。これにより、操作者が手動でデータを更新し、次の時点において変更を認識できるように、適合ファイル２４またはサーバ１１上のクローラ２２、２８へ相応の変更を加えることができる。
【００４６】
ウェブサーバ１４は、一実施形態においては、サーバ１１によって送信されたデータを処理するように設計することができる。例えば、ウェブサーバ１４は、データを処理して、数字の範囲、宝くじ式のゲームにおける数字の重複の有無、ボーナス数字が通常の数字のうち１つと同じでないかどうか、など、考えられるさまざまなエラーをチェックすることができる。何らかのエラーが発見された場合、ウェブサーバ１４は、更新を拒絶し、サーバ１１へ通知を行うことができる。また、ウェブサーバ１４は、当選番号がこれまでの抽選と同じでないか否かをチェックすることができ、同じであるならば、更新を拒絶することができる。
【００４７】
ウェブサーバ１４は、他の実施形態において、宝くじデータおよびサービスのカスタマイズおよび魅力的な提示を可能にするために、クライアントのウェブサイトにおいて利用可能な多数のＨＴＭＬフォーマットを使用するように設計することができる。それぞれのデータフォーマットは、各フォーマットのためのカスケーディングスタイルシート（ＣＳＳ）ファイルを変更することによって達成できるいくつかの異なる色の組み合わせ（例えば、最大２０、またはそれ以上）を含むことができる。ＣＳＳは、マークアップ言語で書かれたドキュメントの提示を記述するために使用されるスタイルシート言語である。その最も一般的な用途は、ＨＴＭＬおよびＸＨＴＭＬで書かれたウェブページにスタイルを与えることであるが、この言語は、ＳＶＧおよびＸＵＬを含むあらゆる種類のＸＭＬドキュメントに対して適用可能である。ＣＳＳは、ドキュメントの提示の色、フォント、レイアウト、および他の態様を定めるために、ウェブページの著者および読み手の両者において使用することができる。
【００４８】
また、システム１０は、自身のクライアントプラットフォーム１５上にウェブサイトを介してデータを表示することを望むクライアントにとって、初期の設定を簡単かつ容易にする特徴を備えることができる。一実施形態においては、クライアントプラットフォーム１５が、設定を１回だけ行えばよく、そのような設定は、提示されるデータの操作に利用できるツールのインストールを含むことができる。さらに、クライアントは、最小限の数のファイルを維持するだけでよい。ゲームに変更が存在しても、そのような変更および修正はシステム１０の内部、特にはウェブサーバ１４の内部で達成可能であるため、プロセスはトランスペアレントであることができ、クライアントは影響を受けない。
【００４９】
図４に示されているとおり、システム１０は、例えば表示すべき宝くじ結果を有している州または国についてのインタラクティブなグラフィック地図４０をさらに備えることができる。これにより、クライアントは、単純にカーソルを使用してピクスマップ（すなわち、カラーのラスター画像）ファイル４０内のホットスポット位置４２を指してクリックを行うことで、特定の州または海外の結果へ接続することができる。その後に新たな州または国が追加された場合、システム１０によって（特には、ウェブサーバ１４内で）ピクスマップ４０を自動的に更新または変更でき、したがってクライアントが変更によって影響を受けることがない。
【００５０】
本発明の一実施形態によれば、システム１０は、多数のデータ項目および機能をインタラクティブに単一のウェブページ上に表示できるようにする提示フォーマットを提供するように設計することができる。１つの手法では、複数のデータ元１３から導出できるコンテンツおよびデータ項目は、ウェブサーバ１４上の単一のウェブページ上にまとめて表示することができる。この単一のウェブページは、ユーザがデータの操作に利用することができるインタラクティブ機能を含むことができる。すなわち、ユーザは、１つの位置でデータおよび特徴を閲覧でき、好都合な方法でそのようなデータおよび特徴とやり取りすることができる。
【００５１】
単一のウェブページ上に表示することができるこれらの独自の特徴および機能の一部として、例えば、すべての宝くじ結果、数字の記録、スマートピック（ｓｍａｒｔ  ｐｉｃｋ）、ジャックポット（ｊａｃｋｐｏｔ）、およびクイックピック（ｑｕｉｃｋ  ｐｉｃｋ）を挙げることができる。さらに、ユーザは、これらの特徴およびデータを、表示された項目（州の宝くじ結果など）のうちの任意の１つを選択することによって閲覧することもできる。特には、ユーザが、例えば最近の結果、数字の記録、または他の特徴をクリックすることによって選択を行った場合、選択された項目を表示することができ、ウェブページのＵＲＬは変わらない。この目的のため、システム１０は、単一のウェブページに異なるコンテンツを表示するように設計することができる。
【００５２】
この手法は、一実施形態においては、ＨＴＴＰクッキーを使用することによって達成できる。ＨＴＴＰクッキーは、サーバによってウェブブラウザへ送信され、その後にブラウザが当該サーバへアクセスするたびにブラウザによって送り返される情報のパケットである。ＨＴＴＰクッキーは、ユーザの認証、ユーザの追跡、ならびにサイトの好みおよび電子ショッピングのカートなどといったユーザに特有の情報の保持に使用することができる。
【００５３】
クッキーは、ユーザに特有であってよい機能を実現するために使用することができる。換言すると、クッキーによって、ユーザの嗜好に基づくパーソナライズが可能になる。パーソナライズは、提示および機能を含むことができる。例えば、ウィキペディア（Ｗｉｋｉｐｅｄｉａ）のウェブサイトは、認証されたユーザがページの「スキン」を決定することを可能にし、グーグル（Ｇｏｏｇｌｅ）検索エンジンは、ユーザ（未登録ユーザであっても）が何件のヒットをページごとに表示したいかを決定することを可能にしている。
【００５４】
理論的には、クッキーは、ウェブサーバによって選択されてブラウザへ送信される任意のデータ片である。次いで、ブラウザが変更を加えずにサーバへ返送し、通常であれば状態を持たないＨＴＴＰのやり取りに状態（これまでの出来事の記憶）を導入する。クッキーがない場合、ウェブページまたはウェブページの構成要素におけるそれぞれの検索は、同じサイトのページにおける他のすべての閲覧にほとんど関連付けられない隔離された出来事になる。クッキーをウェブサーバへ返すことによって、ブラウザは、現在のページの閲覧をこれまでのページの閲覧に結び付ける手段をサーバへ提供する。クッキーは、ウェブサーバによって設定するほか、Ｊａｖａ（登録商標）Ｓｃｒｉｐｔなどといった言語内のスクリプトによっても設定することができる（ウェブブラウザによってサポートされ、可能にされている場合）。
【００５５】
Ｊａｖａ（登録商標）Ｓｃｒｉｐｔは、プロトタイプベースのスクリプト言語である。ウェブベースのＪａｖａ（登録商標）Ｓｃｒｉｐｔの１つの大きな用途は、ＨＴＭＬページに埋め込まれ、あるいはＨＴＭＬページから含まれ、ＨＴＭＬ単独では不可能なタスクを実行するために、ウェブページのドキュメント・オブジェクト・モデル（ＤＯＭ）と相互作用する機能を記述することである。このような用途のいくつかの一般的な例として、１．新しいウインドウを開く、あるいはポップアップさせること、２．ウェブフォームの入力値をサーバへの送信前に検証すること、および３．マウスカーソルが乗せられたときに画像を変化させること、を挙げることができる。
【００５６】
また、Ｊａｖａ（登録商標）Ｓｃｒｉｐｔは、特定のウェブページがロードされた後でユーザの行為に応じてウェブおよびウェブサービスサーバを呼び出すために、ウェブページにおいて使用することができる。これらの呼び出しによって新たな情報を得ることができ、その情報を、さらなるＪａｖａ（登録商標）Ｓｃｒｉｐｔが特定のウェブページにおける既存のＤＯＭに結合させて、表示することができる。
【００５７】
一実施形態においては、クライアントプラットフォーム１５にて操作中のユーザがブラウザを使用して、例えば最近の宝くじ結果を求める要求をウェブサーバ１４へ送信したとき、ウェブサーバ１４は、要求されたウェブページをクッキーとともに送信することによって応答することができる。次いで、ブラウザが、クッキーをクライアントプラットフォーム１５上に保存する。ブラウザは、次に別のウェブページを要求するときに、クッキーも要求とともに送り返す。次いで、要求がウェブサーバ１４によって受信されると、ウェブサーバ１４は、ユーザの好みを含むことができるクッキーにアクセスし、上述のようにデータおよびコンテンツをインタラクティブに表示できる方法で応答を返すことができる。新たなコンテンツは、実際に、同じウェブページを更新することによって閲覧することができる。これは、宝くじデータをクライアントのウェブサイトに提示する有益な方法でありうる。この手法の例を、以下のように示すことができる。
【００５８】
１．クライアントプラットフォーム１５において操作中のユーザが、特定の宝くじ結果のページを訪問することができる。Ｊａｖａ（登録商標）Ｓｃｒｉｐｔは、クッキーにアクセスするために、クライアントプラットフォーム１５上のブラウザからバックグラウンドにて自動的にダウンロードすることができる。あるいは、ウェブサーバ１４からのＣＧＩスクリプトも、クッキーを配置し、あるいはクッキーにアクセスすることができる。
【００５９】
２．ユーザは、パワーボール（Ｐｏｗｅｒｂａｌｌ）ゲームのＳｍａｒｔ  Ｐｉｃｋなど、特定の宝くじ結果を、リンクをクリックすることによって選択することができる。
【００６０】
３．例えばゲーム識別子「Ｐｏｗｅｒｂａｌｌ」および要求の種類「Ｓｍａｒｔ  Ｐｉｃｋ」などの要求情報は、クッキーに保存し、コンピュータ上に保存することができる。
【００６１】
４．次いで、クライアントプラットフォーム１５上の宝くじ結果のウェブページを更新することができる。ウェブサーバ１４上のどのアプリケーション（データを取り出すために呼び出される）が、ユーザによって行われたリンクの選択に対応するかを特定できるＪａｖａ（登録商標）Ｓｃｒｉｐｔ機能の呼び出しを、ページの再読込みが生じさせることができる。
【００６２】
５．次いで、ウェブサーバ１４上にあるアプリケーション（例えば、Ｓｍａｒｔ  Ｐｉｃｋ）が、クッキーに保存された要求情報（ゲーム識別子、要求の種類）を取り出すことができる。
【００６３】
６．次いで、アプリケーション（Ｓｍａｒｔ  Ｐｉｃｋ）が、ウェブサーバ１４上のデータベースから該当のデータを抽出し、ＨＴＭＬドキュメントをＪａｖａ（登録商標）Ｓｃｒｉｐｔで書き直すことによって要求を処理できる。次いで、得られた新しいページの内容を送信し、クライアントプラットフォーム１５上の同じ宝くじ結果のページに表示することができる。
【００６４】
第２の手法においては、＜ｉｆｒａｍｅ＞．．．＜／ｉｆｒａｍｅ＞などの構文を有するインラインフレームは、新たなコンテンツを提示するために、あるいは通常はウェブサーバ１４にホストされるウェブページをクライアントプラットフォーム１５上に含むために、利用することができる。インラインフレームは、通常のＨＴＭＬ＜ｂｏｄｙ＞の内部に別のＨＴＭＬドキュメントを埋め込むために使用することができる構造要素である。換言すると、＜ｉｆｒａｍｅ＞要素によって、ＨＴＭＬドキュメントが、別のＨＴＭＬドキュメントを保持または「フレーム」することができる。同様のドキュメント要素として、すべての最近のブラウザにおいて同じ効果をもたらす、今やより一般的な＜ｏｂｊｅｃｔ＞要素が挙げられる。
【００６５】
システム１０を上述のように用意することによって、多数の国および州ならびに世界中のあらゆる場所で行われている宝くじからの宝くじ結果など、現在および以前のデータを収集し、そのような結果のその後の表示のためにカスタマイズすることができる。さらに、オンラインでのデータ報告サービスを、各国ごとのセグメントによって提供することができる。特には、各国ごとのドメイン名のネットワーク、例えば図３に示されているような検索エンジンのトラフィック、ブランド付け、および広告収入を駆動するために使用される国ごとの宝くじドメイン名を使用することによって、オンラインでのデータ報告サービスを、特定の領域または部門に特有に生成することができる。
【００６６】
さらに、システム１０は、ユーザの好む方法でカスタマイズされたデータの提示フォーマットを生成するために、システムによって利用される１つ以上のパラメータを選択する方法をユーザに提供する。特には、システム１０は、ユーザが例えば無線デバイスおよびウェブベースの環境を介してマイニングされたデータとやり取りできるようにすることができる。例えば、ユーザは、特定のパラメータおよびそれらに関連するデータ（宝くじ結果、スポーツの得点、天候、金融情報、娯楽情報、など）を選択できる。次いで、消費者は、彼らが選択した情報またはデータを巡って、無線またはウェブベースのインタフェースを使用して、彼らの興味を引く追加のパラメータおよび特定の関心点を選択できる。これは、（ｉ）所与の時点において特定の株式においていくらを獲得または喪失したか、（ｉｉ）特定の抽選においていくつの当選番号が一致したか、および獲得した実際の賞金額はいくらか、（ｉｉｉ）特定の映画がチケット売り場において特定の量の収益を挙げたかどうか、（ｉｖ）特定のスポーツの賭けにおいていくらを獲得または喪失したか、（ｖ）特定の場所の温度が所定の時点および他の多数のデータ点から何度変化したか、を通知するように依頼することを含むことができる。
【００６７】
また、システム１０は、興味のあるパラメータおよびデータ、ならびにそれらのデータに関連して配送を希望する特定の情報を、電子メールまたはオンラインのメンバーズエリアによって無線デバイスおよび／またはウェブベースの環境を介してユーザが前もって選択できるようにする。パラメータとして、データの種類、データのフォーマット、関心点、イベント通知、データの配送方法、および配送の頻度を挙げることができる。
【００６８】
株価、宝くじの番号、またはスポーツの得点などといった静的なデータを単純に表示することしかできないこれまでのサービスと異なり、システム１０によれば、ユーザはさらに詳細な仕組みでデータと付き合うことができる。ユーザの要求の結果を、一実施形態においては、携帯電話、ＰＤＡ、および他の無線デバイスへの無線伝送によって表示することができ、さらにはインターネットを介したオンライン環境に表示することができる。
【００６９】
消費者は、例えば以下のことを行うことができる。
【００７０】
１）ウェブサイトまたは無線ウェブポータルを訪れ、世界中から特定の宝くじゲームを選択する。
【００７１】
２）次いで、当該ゲームに関して通知を希望する特定の情報（例えば、ジャックポットが特定の水準に達したこと）を選択することができ、さらに消費者は、抽選日前にリマインダを送るように要求でき、さらには特定のゲームにおいて遊戯を希望する数字を入力する能力を有する。
【００７２】
３）次いで、上記の条件に一致したとき、それを知らせるべく無線アプリケーション（または、オンラインアクセス）によって自動的に通知が行われる。宝くじの抽選の場合には、特定の宝くじの抽選においてどの数字が一致したか、およびそのくじ引きでいくらを獲得したかが通知される。
【００７３】
４）顧客が、パワーボールが３，０００万ドルに達したことを知ることを希望し、それぞれの抽選の２４時間前にリマインダを希望し、数字５−６−１１−１９−２３−２５で遊戯している場合、顧客は、無線デバイスにおいて３つの通知を受け取ることができる。
【００７４】
ジャックポットの繰越金が３，０００万ドルを超えたときに通知が届く。
【００７５】
抽選に先立つこと２４時間で通知が届く。
【００７６】
当選番号の通知が届き、いくつの番号が一致したかおよびいくらを獲得したかが知らされる。
【００７７】
この種のシステムは、スポーツデータ、娯楽データ、および他の形態のデータを届けるためにも使用することができる。例えば、消費者は、点差のハンデについていくつのゲームに賭けているか、所与の一式の賭けにていくらを獲得または喪失したか、などを知らせるように、無線の通知を設定できる。例えば、顧客は、以下のフットボールゲームのそれぞれに２００ドルを賭けるために、システムを利用することができる。
【００７８】
ニューイングランド（Ｎｅｗ  Ｅｎｇｌａｎｄ）  −７  対  シアトル（Ｓｅａｔｔｌｅ）
【００７９】
マイアミ（Ｍｉａｍｉ）  ＋３  対  ニューヨークジャイアンツ（ＮＹ  Ｇｉａｎｔｓ）
【００８０】
さらに、ボストン（Ｂｏｓｔｏｎ）  対  ニューヨーク（Ｎｅｗ  Ｙｏｒｋ）の野球について、Ｂｏｓｔｏｎの勝利を選んで３００ドルを賭ける。
【００８１】
システム１０は、それぞれのゲームの得点ならびにこれらのゲームの結果に基づいて、獲得または喪失した総額を顧客へ通知するように設定することができる。
【００８２】
さらに、システム１０は、オンラインのメディア企業、ポータル、ウェブサイト開発者、ラジオ局、新聞社、ゲームサイト、その他に対して、聴衆および顧客へカスタマイズ可能なデータ報告のソリューションを提供するための方法を与えることができる。さらに、携帯電話会社、ＳＭＳメッセージング企業、および関連分野のその他の企業が、聴衆および顧客へ必要に応じて顧客／最終ユーザの好みに応じてカスタマイズできるデータ結果を伝えるために、システム１０を使用することができる。
【００８３】
次に図５に目を向けると、別の実施形態においては、上述のインタラクティブな特徴は、携帯電話および他の無線デバイスへダウンロードでき、または携帯電話および他の無線デバイスへあらかじめロードしておくことができるファームウェアもしくは他のソフトウェアプロセス５０など、プログラムへ実装することも可能である。ソフトウェアプロセス５０は、無線の電気通信ネットワーク５１を介して１つ以上のウェブサーバ１４と通信できる。ソフトウェアプロセス５０は、ウェブブラウザなどのユーザインタフェースを備えることができ、このユーザインタフェースを介して、ユーザが提示されるべきデータの種類およびフォーマットなどのパラメータを選択できる。さらに、ソフトウェアプロセス５０は、通知、リマインダ、データの配送時期、配送方法、ならびにユーザが定めたデータの提示に関するパラメータの保存を含むさらなるパラメータについて、ユーザ選択を行うことを可能にする。また、ソフトウェアプロセス５０は、オッズ計算機および統計的分析などの分析ツールも提供できる。実際、ソフトウェアプロセス５０は、ウェブサーバ１４の機能の部分集合を含むことができる。動作時、ユーザによってソフトウェアプロセス５０は、ウェブサーバ１４とやり取りをして、関心のあるデータについて、どのように、いつ、どのデータを、どのフォーマットでユーザに提示できるのかを確立するために使用することができる。この適合は、後に例えば宝くじ、スポーツ、金融、娯楽などの無線データとやり取りできるソフトウェアがあらかじめロードされた状態で無線デバイスを届けることを可能にすることで、無線装置の供給者および消費者を手助けできる。
【００８４】
さらに、企業または団体が、ウェブサイト上の広告空間の賃貸／購入、または特定のドメイン名の購入など、本発明に関連して提供されるデータ報告サービスに組み合わせてもたらすことができる補助的なサービスおよび製品を得ることができるプラットフォームとして、システム１０は機能することができる。この方法で、広告用のプラットフォームをデータ報告サービスに織り込んで、データにアクセスする聴衆に手を延ばすための独自かつ狙いを付けた広告の選択肢を広告主に持たせることができる。
【００８５】
さらに、オッズ計算機、ジャックポットの監視、頻度分析、ホイーリングシステム（ｗｈｅｅｌｉｎｇ  ｓｙｓｔｅｍ）、十二宮図（ｚｏｄｉａｃ）ベースの数霊術システム、および他の構成要素など、消費者によって使用することができるデータツールの特定のバンドルを、提供することができる。他の例としては、これらに限られるわけではないが、リアルタイムで更新され、次いで他者へ配布されうるスポーツ統計、金融データ、または任意の所与の分野に特有のデータを、消費者または訪問者が有益かつインタラクティブな方法で検討できるようにするための統計分析およびバンドルされたツールの提示が挙げられる。
【００８６】
また、システム１０は、データを電子メール、ＳＭＳテキストメッセージ、マルチメディアメッセージングサービス（ＭＭＳ）、または他のサービスを介して個人へ自動的に届けることができるよう、消費者によるカスタマイズを許すように設計することができる。ＳＭＳは、携帯電話、他の携帯デバイス、および固定電話の間でのテキストメッセージの送信を可能にしている多くのデジタル携帯電話において利用できるサービスである。ＭＭＳは、無線の電気通信ネットワークにおいてテキストメッセージのみならず、様々な種類のマルチメディアコンテンツ（例えば、画像、音声、および／またはビデオクリップ）も送信するための技術である。
【００８７】
一実施形態において、システム１０は、ウェブサイトまたは携帯電話などの無線デバイスを経由してオンライン宝くじを遊戯するために、個人によって利用することができる。あるいは、システム１０は、宝くじをオンラインまたは無線で楽しむことができるようにするために、既存の宝くじゲーム運営者（州の宝くじ委員会）によって利用することができる。どちらの場合も、参加者は、宝くじ券を購入して宝くじを遊戯するために、オンラインインタフェースまたは無線デバイスを介してシステム１０にアクセスすることができる。参加を希望する参加者へ、前もってＳＭＳ、ＭＭＳ、または電子メールによって宝くじの抽選の時期を通知することができる。次いで、参加者は、自身の無線デバイスまたはウェブ・ブラウザ・インタフェースを使用して数字を選ぶことができる。次いで、確認の電子メール、ＳＭＳ、またはＭＭＳをそれぞれの参加者へ送信して、抽選への参加を確認することができる。続いて、宝くじの抽選を行うことができ、すべての参加者へ、当選番号および賞金額を電子メール、ＳＭＳ、またはＭＭＳによって知らせることができる。
【００８８】
一実施形態においては、この宝くじのジャックポットは、チケットのコストまたは保険証書の購入を通じて自己資金とすることができる。参加者は、前払いのアカウント、月ごとに生じる料金、または年金により、あるいはメッセージング料金を介してそれぞれのチケットについてオンラインまたは無線で支払いを行うことによって、あるいは他の認可された支払い方法によって、ゲームへのアクセスについて支払いを行うことができる。サーバ１１またはウェブサーバ１４は、例えば遊戯されたすべての宝くじチケット、遊戯の時間のリスト、遊戯した回数、および参加者の実際の識別番号など、参加者およびゲームの情報を保存するために使用することができる。この技術は、例えば、ゲームを許している国々において、スポーツ賭け屋およびオンラインゲームのサイトならびに携帯電話会社へライセンスすることができる。この技術は、州または政府公認の宝くじへライセンスすることも可能である。
【００８９】
さらに、他の実施形態においては、ユーザが宝くじを遊戯し、あるいはデータとやり取りをするときに、広告をインタフェースから展開および管理することができる。インタフェースとしては、サーバ、ラップトップ、または無線デバイス上で動作させることができるウェブブラウザを挙げることができる。例えば、広告は、ユーザが宝くじデータとやり取りをするため、またはパラメータ一式を定めるためにリンクをクリックしたときに表示することができる。広告は、ビデオ、音声、スライドショー、ポップアップボックス、など、多数のフォーマットにて提示可能であり、さらにはメディア・プレイヤー・アプリケーションとして提示可能である。例えば、図４を参照すると、ユーザが北米のインタラクティブピクスマップ４０上でフロリダ州を表しているホットスポット４２をクリックしたときに、小さなメディアプレイヤーを、フロリダ宝くじをクリックしていると考えられる聴衆を対象とする特定の広告メッセージを提示するために起動させることができる。
【００９０】
本明細書に記載したデータの収集および提示の方法はいずれも、宝くじ結果に特有でない他のデータの収集および提示にも使用することが可能である。例えば、この収集および提示の方法は、株式、債権、インデックス、通貨価値、などといった金融の分野、ならびに不動産、商品、燃料価格、などといった他の分野におけるデータ、さらには収集して聴衆へ表示することができる他の任意のデータの収集および表示に使用することができる。
【００９１】
本発明は、本発明の具体的な実施形態に関連して説明したが、さらなる変更が可能であることを理解できるであろう。さらに、この出願は、本発明の関係する技術分野の公知または慣例の実務の範囲に入るような本明細書の開示からの逸脱を含め、本発明のあらゆる変種、用途、または適合を包含するものである。
【産業上の利用可能性】
【００９２】
本発明は、データマイニングおよびデータのインタラクティブな提示のためのシステムおよび方法に利用できる。
【図面の簡単な説明】
【００９３】
【図１】データマイニングおよびデータのインタラクティブな提示のための本発明の一実施形態によるシステムを示している。
【図２】本発明に関連して使用するサーバの内部の構成要素を示している。
【図３】本発明に関連して使用する考えられるドメイン名のリストを示している。
【図４】本発明に関連して使用する多数のホットスポットを有しているピクスマップを示している。
【図５】データマイニングおよびデータのインタラクティブな提示のための本発明の一実施形態によるシステムの構成要素を示している。
【図１】
2009526281.tif 000003
【図２】
2009526281.tif 000004
【図３】
2009526281.tif 000005
【図４】
2009526281.tif 000006
【図５】
2009526281.tif 000007